【手続補正書】
【提出日】平成18年3月22日(2006.3.22)
【手続補正１】
【補正対象書類名】明細書
【補正対象項目名】発明の名称
【補正方法】変更
【補正の内容】
【発明の名称】印刷ジョブ情報管理のための方法、プログラム、システム及びクライアントコンピュータ
【手続補正２】
【補正対象書類名】明細書
【補正対象項目名】特許請求の範囲
【補正方法】変更
【補正の内容】
【特許請求の範囲】
【請求項１】
印刷装置、サーバ及びクライアントコンピュータからなるシステムにおいて、クライアントコンピュータから印刷装置に送信される印刷ジョブに関する印刷ジョブ情報を管理する方法であって、
クライアントコンピュータから印刷装置に対して、印刷ジョブを送信する工程、
印刷装置において前記印刷ジョブに基づいて印刷を実行すると共に、前記印刷ジョブに関する印刷ジョブ情報を生成する工程、
印刷装置からクライアントコンピュータに対して、前記印刷ジョブ情報を送信する工程、及び
クライアントコンピュータからサーバに対して、前記印刷ジョブに関する前記印刷ジョブ情報を送信する工程
からなる印刷ジョブ情報管理方法。
【請求項２】
さらに、
クライアントコンピュータにおいて、印刷装置から送信された前記印刷ジョブ情報（以下、第１の印刷ジョブ情報という）と異なる、前記印刷ジョブに関する第２の印刷ジョブ情報を生成する工程、及び
クライアントコンピュータにおいて、前記第１の印刷ジョブ情報と前記第２の印刷ジョブ情報とを統合して第３の印刷ジョブ情報を生成する工程
を含み、
クライアントコンピュータからサーバに対して送信される前記印刷ジョブ情報は前記第３の印刷ジョブ情報であることを特徴とする、請求項１記載の印刷ジョブ情報管理方法。
【請求項３】
印刷装置、サーバ及びクライアントコンピュータからなるシステムに用いられるクライアントコンピュータに、
クライアントコンピュータから印刷装置に送信された印刷ジョブに関し、印刷装置から送信された印刷ジョブ情報を受信する手順、及び
前記印刷ジョブに関する印刷ジョブ情報をサーバに送信する手順
からなる処理を実行させるプログラム。
【請求項４】
前記処理は、さらに、
印刷装置から送信された前記印刷ジョブ情報（以下、第１の印刷ジョブ情報という）と異なる、前記印刷ジョブに関する第２の印刷ジョブ情報を生成する手順、及び
前記第１の印刷ジョブ情報と前記第２の印刷ジョブ情報とを統合して第３の印刷ジョブ情報を生成する手順
を含み、
サーバに送信される前記印刷ジョブ情報は前記第３の印刷ジョブ情報であることを特徴とする請求項３記載のプログラム。
【請求項５】
印刷装置、サーバ及びクライアントコンピュータからなる印刷ジョブ情報管理システムであって、
前記印刷装置は、
印刷ジョブに基づいて印刷を実行する印刷手段、
前記印刷ジョブに関する印刷ジョブ情報を生成する印刷ジョブ情報生成手段、及び、
前記クライアントコンピュータに対して、前記印刷ジョブ情報を送信する送信手段
を備え、
前記クライアントコンピュータは、
前記印刷装置に対して前記印刷ジョブを送信する送信手段、
前記印刷装置から前記印刷ジョブ情報を受信する受信手段、及び、
前記印刷ジョブに関する印刷ジョブ情報をサーバに対して送信する送信手段
を備える、
印刷ジョブ情報管理システム。
【請求項６】
前記クライアントコンピュータは、さらに、
前記印刷装置から送信された前記印刷ジョブ情報（以下、第１の印刷ジョブ情報という）と異なる、前記印刷ジョブに関する第２の印刷ジョブ情報を生成する第２の印刷ジョブ情報生成手段、及び、
前記第１の印刷ジョブ情報と前記第２の印刷ジョブ情報とを統合して第３の印刷ジョブ情報を生成する印刷ジョブ情報統合手段
とを含み、
前記クライアントコンピュータから前記サーバに対して送信される前記印刷ジョブ情報は前記第３の印刷ジョブ情報である、
請求項５記載の印刷ジョブ情報管理システム。
【請求項７】
印刷装置、サーバ及びクライアントコンピュータからなるシステムに用いられるクライアントコンピュータであって、
クライアントコンピュータから印刷装置に送信された印刷ジョブに関し、印刷装置から送信された印刷ジョブ情報を受信する受信手段、及び、
前記印刷ジョブに関する印刷ジョブ情報をサーバに送信する送信手段
を備えるクライアントコンピュータ。
【請求項８】
さらに、
印刷装置から送信された前記印刷ジョブ情報（以下、第１の印刷ジョブ情報という）と異なる、前記印刷ジョブに関する第２の印刷ジョブ情報を生成する印刷ジョブ情報生成手段、及び、
前記第１の印刷ジョブ情報と前記第２の印刷ジョブ情報とを統合して第３の印刷ジョブ情報を生成する印刷ジョブ情報統合手段を備え、
サーバに送信される前記印刷ジョブ情報は前記第３の印刷ジョブ情報であること
を特徴とする請求項７記載のクライアントコンピュータ。
【手続補正３】
【補正対象書類名】明細書
【補正対象項目名】００１１
【補正方法】変更
【補正の内容】
【００１１】
好ましくは、前記処理は、さらに、印刷装置から送信された前記印刷ジョブ情報（以下、第１の印刷ジョブ情報という）と異なる、前記印刷ジョブに関する第２の印刷ジョブ情報を生成する手順、及び、前記第１の印刷ジョブ情報と前記第２の印刷ジョブ情報とを統合して第３の印刷ジョブ情報を生成する手順を含み、サーバに送信される前記印刷ジョブ情報は前記第３の印刷ジョブ情報であることを特徴とする。
本発明に係る印刷ジョブ情報管理システムは、印刷装置、サーバ及びクライアントコンピュータからなる印刷ジョブ情報管理システムであって、前記印刷装置は、印刷ジョブに基づいて印刷を実行する印刷手段、前記印刷ジョブに関する印刷ジョブ情報を生成する印刷ジョブ情報生成手段、及び、前記クライアントコンピュータに対して、前記印刷ジョブ情報を送信する送信手段を備え、前記クライアントコンピュータは、前記印刷装置に対して前記印刷ジョブを送信する送信手段、前記印刷装置から前記印刷ジョブ情報を受信する受信手段、及び、前記印刷ジョブに関する印刷ジョブ情報をサーバに対して送信する送信手段を備える。
好ましくは、前記印刷ジョブ情報管理システムにおいて、前記クライアントコンピュータは、さらに、前記印刷装置から送信された前記印刷ジョブ情報（以下、第１の印刷ジョブ情報という）と異なる、前記印刷ジョブに関する第２の印刷ジョブ情報を生成する第２の印刷ジョブ情報生成手段、及び、前記第１の印刷ジョブ情報と前記第２の印刷ジョブ情報とを統合して第３の印刷ジョブ情報を生成する印刷ジョブ情報統合手段とを含み、前記クライアントコンピュータから前記サーバに対して送信される前記印刷ジョブ情報は前記第３の印刷ジョブ情報である。
本発明に係るクライアントコンピュータは、印刷装置、サーバ及びクライアントコンピュータからなるシステムに用いられるクライアントコンピュータであって、クライアントコンピュータから印刷装置に送信された印刷ジョブに関し、印刷装置から送信された印刷ジョブ情報を受信する受信手段、及び、前記印刷ジョブに関する印刷ジョブ情報をサーバに送信する送信手段を備える。
好ましくは、前記クライアントコンピュータは、さらに、印刷装置から送信された前記印刷ジョブ情報（以下、第１の印刷ジョブ情報という）と異なる、前記印刷ジョブに関する第２の印刷ジョブ情報を生成する印刷ジョブ情報生成手段、及び、前記第１の印刷ジョブ情報と前記第２の印刷ジョブ情報とを統合して第３の印刷ジョブ情報を生成する印刷ジョブ情報統合手段を備え、サーバに送信される前記印刷ジョブ情報は前記第３の印刷ジョブ情報であることを特徴とする。